(57)【特許請求の範囲】
【請求項１】
第１開口部がある第１フック部と、第２開口部がある第２フック部と、第３開口部がある第３フック部と、衣服の襟などを挟むためのクリップ部又は衣服に留めるためのピンとを具備し、前記各フック部は互いに平行に設けてあり、前記第１フック部は前記第２フック部を挟んで前記第３フック部の反対側にあり、前記クリップ部又は前記ピンと前記各フック部とを連結する部分を下側の基準面として、前記第１開口部と前記第３開口部は上向きであり、前記第２開口部は斜め下向きであり、前記各フック部の中央部の空間は同一軸上において直線状に貫通しており、前記第２フック部には、前記中央部の空間を挟んで前記第２開口部の反対側に凹部があることを特徴とするイヤホンコード保持具。
【請求項２】
前記各フック部の背面に装飾を施したことを特徴とする請求項１記載のイヤホンコード保持具。
【請求項３】
第１開口部がある第１フック部と、第２開口部がある第２フック部と、第３開口部がある第３フック部と、机の縁などを挟むためのクランプ部又は壁等へ止めるためのネジ止め部とを具備し、前記各フック部は互いに平行に設けてあり、前記第１フック部は前記第２フック部を挟んで前記第３フック部の反対側にあり、前記クランプ部又は前記ネジ止め部と前記各フック部とを連結する部分を下側の基準面として、前記第１開口部と前記第３開口部は上向きであり、前記第２開口部は斜め下向きであり、前記各フック部の中央部の空間は同一軸上において直線状に貫通しており、前記第２フック部には、前記中央部の空間を挟んで前記第２開口部の反対側に凹部があることを特徴とするコード保持具。
【発明の詳細な説明】
【技術分野】
【０００１】
本発明は、イヤホンコード保持具に関し、特に、イヤホンコードを２通りに保持できるイヤホンコード保持具に関する。
【背景技術】
【０００２】
従来、イヤホンにより携帯用オーディオ機器等の音声を聞く場合に、ポケット等に収納された携帯用オーディオ機器と両耳との間にイヤホンコードが垂れ下がることになる。イヤホンコードが、使用者の腕や他人の荷物等に絡むことが多い。混雑している場所では、このような場合、イヤホンが耳から外れたり、オーディオ機器を落したりすることがある。イヤホン使用中におけるイヤホンコードの絡みつきを防止するためのものが、種々提案されている。例えば、イヤホン用のコードクリップによって、コードと衣服を同時に挟むものがある。また、衣類等を挟むクリップの根元に、リモコンに接続されたコードを保持する突起部を設けたものもある。また、上部にイヤホンコード保持部を設け、下部に襟元差込部を備えたものもある。以下に、従来のコードクリップの例をいくつかあげる。
【０００３】
特許文献１に開示された「コードクリップ」は、クリップ部とコード保持部において作用する力がそれぞれ独立した力であり、且つ単一の部材によって一体成形されたコードクリップである。図７（ａ）に示すように、コードクリップには、クリップ部とコード保持部がある。クリップ部は、一部が断絶された開口部を備えた弾性のある第１環状部分によって形成され、第１環状部分の断絶された部分が互いに最も近接する挟持部において物体を挟持することができる。コード保持部は、第１環状部分の内側に形成された、一部が断絶された弾性のある第２環状部分によって、第１環状部分における弾性力とは独立した弾性力により第２環状部分の内部においてコードを挟持することができる。第１環状部分と第２環状部分とが同一の部材によって一体成形される。
【０００４】
特許文献２に開示された「イヤホンコード絡み防止具」は、使用者が思い通りの動きをとった場合であっても、イヤホンコードの絡み防止機能を阻害されず、また、イヤホンコードの断線をも招来することのない、極めて有用なイヤホンコード絡み防止具である。図７（ｂ）に示すように、縫代部は、ゴム材若しくは可撓性を有する合成樹脂材料からなる板状態の部分で、装着対象物である生地に対する縫着部分として機能する。筒体は、その周壁に縦方向となるスリットが形成されている。筒体の挿通孔に、イヤホンコードを通す。
【０００５】
特許文献３に開示された「イヤホンコードクリップ」は、衿から外れにくく、組み立て部品点数が少なく、取り扱いが簡単なコードクリップである。図７（ｃ）に示すように、ワニ口クリップに、イヤホンコードを通したグリップを、回動自在に装着する。
【特許文献１】特開2002-58087号公報
【特許文献２】特開2002-330803号公報
【特許文献３】特開2004-214996号公報
【発明の開示】
【発明が解決しようとする課題】
【０００６】
しかし、従来のコードクリップなどでは、コードを固定するか、緩く保持するかのいずれかしかできなかった。イヤホンコードを襟などに固定すると、首を動かしたときに、イヤホンが耳から外れることがある。また、緩くしか保持できない場合では、混雑した車内で他人の持ち物にイヤホンコードが触れて引っ張られることがある。イヤホンの使用状況に応じて、緩く保持するか固く保持するかを選択することができないという問題があった。
【０００７】
本発明の目的は、上記従来の問題を解決して、イヤホンコードを、使用状況に応じて緩くも固くも保持できるイヤホンコード保持具を実現することである。
【課題を解決するための手段】
【０００８】
上記の課題を解決するために、本発明では、イヤホンコード保持具を、第１開口部が上向きであり左外側にある第１フック部と、第２開口部が斜め下向きであり第２開口部の反対側に凹部があり中央にある第２フック部と、第３開口部が上向きであり右外側にある第３フック部と、衣服の襟などを挟むためのクリップ部又は衣服に留めるためのピンとを具備し、各フック部は互いに平行に設けてあり、各フック部の中央部の空間は直線状に貫通している構成とした。
【発明の効果】
【０００９】
このように構成したことにより、イヤホンコードを、使用状況に応じて緩くも固くも保持できる。
【発明を実施するための最良の形態】
【００１０】
以下、本発明を実施するための最良の形態について、図１〜図６を参照しながら詳細に説明する。
【実施例】
【００１１】
本発明の実施例は、左フック部と中フック部と右フック部の開口部からイヤホンコードを中央の貫通部に挿入して緩く保持するか、中フック部の凹部に波形に掛けて固く保持するかして、クリップで衣服の襟などに留めるイヤホンコード保持具である。
【００１２】
図１は、本発明の実施例におけるイヤホンコード保持具の斜視図である。図２は、イヤホンコード保持具の各面の図である。図３は、イヤホンコード保持具の断面図である。図４は、イヤホンコード保持具にコードを通す手順を示す図である。図５は、イヤホンコード保持具にコードを係止する手順を示す図である。図６は、コード保持具で電源コードを保持する状態を示す図である。各図において、左フック部１は、開口部が上向きであり左外側にあるフック部である。中フック部２は、開口部が斜め下向きであり開口部の反対側に凹部があり内側にあるフック部である。右フック部３は、開口部が上向きであり右外側にあるフック部である。凹部４は、中フック部の開口部の反対側にある凹部である。中央空間５は、各フック部の中央を直線状に貫通する空間である。クリップ部６は、衣服の襟などを挟むためのクリップ部である。クリップ部のかわりに、衣服に留めるためのピンを設けてもよい。
【００１３】
上記のように構成された本発明の実施例におけるイヤホンコード保持具の機能を説明する。最初に、図１を参照しながら、イヤホンコード保持具の機能の概要を説明する。イヤホンコード保持具には、左フック部１と、中フック部２と、右フック部３とがある。左フック部１は、左外側にあり、開口部が上向きである。中フック部２は、中央にあり、開口部が下向きである。開口部の反対側に凹部４がある。右フック部３は、右外側にあり、開口部が上向きである。３つのフック部は平行になっており、中央部の空間は直線状に貫通している。
【００１４】
イヤホンコードを撓めて、３つのフック部の各開口部を通して中央部の空間に収める。イヤホンコードは線方向には自由に動くが、それと垂直な方向には動けないし、簡単には外れない。また、イヤホンコードを、中フック部２の開口部と反対側の凹部４に掛けるように通すと、蛇行状態になって係止されるので、摩擦が働き線方向にも自由に動けなくなる。このようにして、イヤホンコードを、緩くも固くも保持できる。
【００１５】
次に、図２と図３を参照しながら、イヤホンコード保持具の形状を説明する。左フック部１は、Ｃ字形の断面をしている。開口部は、イヤホンコードが楽に通る程度の大きさである。中央の空間は、イヤホンコードが緩やかに保持され、線方向に自由に動ける程度の大きさである。開口部の反対側は、クリップ部６に繋がっている。右フック部３も同じ形状である。中フック部２は、Ｇ字形の断面をしている。開口部は、左フック部１の開口部のほぼ反対側にあり、やや大きい。開口部の反対側には、凹部４がある。凹部４と、左フック部１の開口部とは、中央空間を軸としてほぼ90度ずれている。開口部と凹部４の間の部分は、クリップ部に繋がっている。クリップ部とフック部の背面に装飾を施して、背面を表に向けて襟などに留めることで、アクセサリ兼用とすることができる。
【００１６】
次に、図４を参照しながら、イヤホンコード保持具にイヤホンコードを直線状に通す方法を説明する。イヤホンコードを撓めて、中フック部２の開口部に入れる。その両側のイヤホンコードを、左フック部１の開口部と右フック部３の開口部に入れる。イヤホンコードを真っすぐに伸ばすと、中央の空間に閉じ込められた状態で、線方向に自由に動く。
【００１７】
次に、図５を参照しながら、イヤホンコード保持具にイヤホンコードを係止する方法を説明する。イヤホンコードを撓めて、中フック部２の凹部４に掛ける。その両側のイヤホンコードを、左フック部１の開口部と右フック部３の開口部に入れる。イヤホンコードを伸ばすと、中フック部２の凹部４に係止された状態で、線方向にも動かないように固定される。
【００１８】
次に、図６を参照しながら、変形例を説明する。イヤホンコード保持具を、電源コードに対応させて、サイズを大きくし、クリップに代えてクランプを設ける。又は、壁等へネジ止めするための孔のあるネジ止め部を設けてもよい。その他の適当な係止部材または固定部材を用いてもよい。クランプで、コード保持具を机の縁などに留める。コード保持具に電源コードを通し、コンセントとパソコンなどをつなぐ電源コードを、机の縁に沿って収容する。自由状態と係止状態を適宜使い分けることで、電源コードを自在に収容することができる。電源コードのほかに、通信ケーブルなどを同様にして収容することもできる。
【００１９】
上記のように、本発明の実施例では、イヤホンコード保持具を、左フック部と中フック部と右フック部の開口部からイヤホンコードを中央の貫通部に挿入して緩く保持するか、中フック部の凹部に波形に掛けて固く保持するかして、クリップで衣服の襟などに留める構成としたので、使用状況に応じてイヤホンコードを緩くも固くも保持できる。
【産業上の利用可能性】
【００２０】
本発明のイヤホンコード保持具は、イヤホンコードを２通りに保持できるので、携帯用オーディオ装置のイヤホンコードを保持する器具として最適である。
【図面の簡単な説明】
【００２１】
【図１】本発明の実施例におけるイヤホンコード保持具の斜視図である。
【図２】本発明の実施例におけるイヤホンコード保持具の各面の図である。
【図３】本発明の実施例におけるイヤホンコード保持具の断面図である。
【図４】本発明の実施例におけるイヤホンコード保持具にコードを通す手順を示す図である。
【図５】本発明の実施例におけるイヤホンコード保持具にコードを係止する手順を示す図である。
【図６】本発明の実施例におけるコード保持具で電源コードを保持する状態を示す図である。
【図７】従来のコードクリップの概念図である。
【符号の説明】
【００２２】
１  左フック部
２  中フック部
３  右フック部
４  凹部
５  中央空間
６  クリップ部
【図１】
0004744361.tif 000002
【図２】
0004744361.tif 000003
【図３】
0004744361.tif 000004
【図４】
0004744361.tif 000005
【図５】
0004744361.tif 000006
【図６】
0004744361.tif 000007
【図７】
0004744361.tif 000008